(57)【要約】      （修正有）【課題】簡易な回路構成により、ボツ音の発生を低減する。【解決手段】ファントム電源回路１０であって、コンデンサマイクロホンに電源を供給するファントム電源ＰＷと、コンデンサマイクロホンが接続される入力側端子１ａ、１ｂ、１ｃと、コンデンサマイクロホンからの出力信号が入力される出力機器が接続される出力側端子２ａ、２ｂ、２ｃと、入力側端子と出力側端子とを接続する信号線３と、ファントム電源と信号線との間に接続されるファントム電源のスイッチＳＷと、スイッチの作動時に駆動される発光素子Ｄ１１、Ｄ１２と、信号線に直列に接続され、発光素子の発光状態に応じて抵抗値が変化するフォトレジスタＰＲ１１、ＰＲ１２と、を有する。【選択図】図１
2017085336.tif 000002
【特許請求の範囲】
【請求項１】
コンデンサマイクロホンに電源を供給するファントム電源と、
前記コンデンサマイクロホンが接続される入力側端子と、
前記コンデンサマイクロホンからの出力信号が入力される出力機器が接続される出力側端子と、
前記入力側端子と前記出力側端子とを接続する信号線と、
前記ファントム電源と前記信号線との間に接続される前記ファントム電源のスイッチと、
前記スイッチの作動時に駆動される発光素子と、
前記信号線に直列に接続され、前記発光素子の発光状態に応じて抵抗値が変化するフォトレジスタと、
を有してなる、
ことを特徴とするファントム電源回路。
【請求項２】
前記入力側端子は、
前記コンデンサマイクロホンの接地端子に接続される第１入力側端子と、
前記コンデンサマイクロホンの出力端子に接続される第２入力側端子および第３入力側端子と、
を備え、
前記出力側端子は、
前記第１入力側端子と接続する第１出力側端子と、
前記第２入力側端子からの信号を前記出力機器に導出する第２出力側端子と、
前記第３入力側端子からの信号を前記出力機器に導出する第３出力側端子と、
を備え、
前記信号線は、
前記第１入力側端子と前記第１出力側端子とを接続する第１信号線と、
前記第２入力側端子と前記第２出力側端子とを接続する第２信号線と、
前記第３入力側端子と前記第３出力側端子とを接続する第３信号線と、
を備え、
前記第１信号線と前記第２信号線との間に接続される第１定電流ダイオードと、
前記第１信号線と前記第３信号線との間に接続される第２定電流ダイオードと、
を有してなり、
前記発光素子は、
前記第１定電流ダイオードの前記第１信号線側の接続端子と、前記第１信号線と、の間に直列に接続される第１発光素子と、
前記第２定電流ダイオードの前記第１信号線側の接続端子と、前記第１信号線と、の間に直列に接続される第２発光素子と、
を備える、
請求項１記載のファントム電源回路。
【請求項３】
前記フォトレジスタは、
前記第２信号線に直列に接続されて、前記第１発光素子の発光状態に応じて抵抗値が変化する第１フォトレジスタと、
前記第３信号線に直列に接続されて、前記第２発光素子の発光状態に応じて抵抗値が変化する第２フォトレジスタと、
を備える、
請求項２記載のファントム電源回路。
【請求項４】
前記スイッチは、前記信号線と直列に接続し、
前記入力側端子は、前記フォトレジスタを介して前記スイッチと接続する、
請求項１記載のファントム電源回路。
【請求項５】
前記スイッチは、前記第２信号線と前記第３信号線とのそれぞれと直列に接続し、
前記第２入力側端子は、前記第１フォトレジスタを介して前記スイッチと接続し、
前記第３入力側端子は、前記第２フォトレジスタを介して前記スイッチと接続する、
請求項３記載のファントム電源回路。
【請求項６】
前記スイッチは、前記信号線と直列に接続し、
前記出力側端子は、前記フォトレジスタを介して前記スイッチと接続する、
請求項１記載のファントム電源回路。
【請求項７】
前記スイッチは、前記第２信号線と前記第３信号線とのそれぞれと直列に接続し、
前記第２出力側端子は、前記第１フォトレジスタを介して前記スイッチと接続し、
前記第３出力側端子は、前記第２フォトレジスタを介して前記スイッチと接続する、
請求項３記載のファントム電源回路。
【請求項８】
前記発光状態は、第１発光状態と第２発光状態とを備え、
前記抵抗値は、第１抵抗値と第２抵抗値との間で連続的に変化し、前記発光状態が前記第１発光状態から前記第２発光状態に切り替わった後に、前記第２抵抗値に変化する、
請求項１記載のファントム電源回路。
【発明の詳細な説明】
【技術分野】
【０００１】
本発明は、コンデンサマイクロホンに給電するファントム電源回路に関する。
【背景技術】
【０００２】
コンデンサマイクロホン（以下「マイクロホン」という。）は、マイクロホンが備えるインピーダンス変換器などを動作させるための電源の供給を必要とする。マイクロホンの電源供給には、ＪＥＩＴＡ  ＲＣ−８１６２Ａ（マイクロホンの電源供給方式）に規定されるファントム給電方式が用いられる。
【０００３】
ファントム給電方式は、ミキサーやアンプユニットなどの外部機器側に備えられた直流電源（ファントム電源）から、マイクロホンの音声信号の出力信号線であるホット側信号線とコールド側信号線とを介して、マイクロホンに直流電流を供給する。ファントム電源は、給電抵抗を介してホット側信号線とコールド側信号線とのそれぞれに接続される。そのため、ファントム電源は、ホット側信号線とコールド側信号線とに等しく分配された直流電流を供給することができる。
【０００４】
マイクロホンと外部機器との接続や切断は、通常、マイクロホンに給電するファントム電源がオフ状態の時に行われる。しかし、マイクロホンと外部機器との接続や切断は、マイクロホンとマイクロホンの使用者などの身体との接触や、ファントム電源のオン・オフ状態の確認不足などにより、ファントム電源がオン状態の時に行われる場合がある。この場合、マイクロホンとファントム電源とを接続する端子間の接続または切断のタイミングが、ホット側端子とコールド側端子との間で異なると、ファントム電源から衝撃音を伴うパルス状電流（以下「パルス状電流」という。）が出力される。
【０００５】
このパルス状電流は、マイクロホンの音声信号の出力信号線に流れて、音声信号と共に外部機器を介してスピーカなどの出力機器に入力される。この場合、出力機器からは大きな音、いわゆるボツ音が発生する。出力機器は、このボツ音の大きさによっては故障する。
【０００６】
このようなマイクロホンとファントム電源との接続時や切断時のボツ音の発生を低減する手法として、パルス状電流を検出する検出回路と、マイクロホンの出力を制限する制限回路と、を備えたファントム電源回路が提案されている（例えば、特許文献１）。
【０００７】
検出回路は、トランスとコンデンサと抵抗と第１トランジスタ回路とを有してなる。トランスは、マイクロホンのホット側信号線とコールド側信号線との間に接続され、マイクロホンとファントム電源とのホット側端子、またはコールド側端子のいずれか一方が先に切断または接続されると、パルス状電流を流す。検出回路は、トランスにパルス状電流が流れると、第１トランジスタ回路を電流の流れるオン状態にする。
【０００８】
制限回路は、第２トランジスタ回路と発光ダイオードとフォトＭＯＳリレーと抵抗とを有してなる。制限回路は、検出回路の第１トランジスタ回路がオン状態になると、発光ダイオードを消灯させてホット側信号線とコールド側信号線とに設けられたフォトＭＯＳリレーの接点を解放させる。フォトＭＯＳリレーの接点が解放されると、マイクロホンからの音声信号とパルス状電流とは、ホット側信号線とコールド側信号線とにそれぞれバイパス接続された抵抗により減衰される。つまり、音声信号とパルス状電流との出力機器側への入力は、制限される。その結果、ボツ音は、出力機器から発生しない。
【先行技術文献】
【特許文献】
【０００９】
【特許文献１】特許第５５４５８５９号明細書
【発明の概要】
【発明が解決しようとする課題】
【００１０】
しかし、特許文献１に開示されたファントム電源回路は、パルス状電流を検出する検出回路を必要とするため、回路構成が複雑となる。また、ボツ音は、ファントム電源とマイクロホンとを接続したとき、すなわち、マイクロホンへの給電を開始したときに、マイクロホンのＦＥＴ（電界効果トランジスタ）やトランジスタ回路などの段階的な立ち上がりに応じて複数回発生する場合がある。
【００１１】
本発明は、以上のような従来技術の問題点を解決するためになされたもので、簡易な回路構成により、ボツ音の発生を低減することを目的とする。
【課題を解決するための手段】
【００１２】
ファントム電源回路であって、コンデンサマイクロホンに電源を供給するファントム電源と、コンデンサマイクロホンが接続される入力側端子と、コンデンサマイクロホンからの出力信号が入力される出力機器が接続される出力側端子と、入力側端子と出力側端子とを接続する信号線と、ファントム電源と信号線との間に接続されるファントム電源のスイッチと、スイッチの作動時に駆動される発光素子と、信号線に直列に接続され、発光素子の発光状態に応じて抵抗値が変化するフォトレジスタと、を有してなる、ことを特徴とする。
【発明の効果】
【００１３】
本発明によれば、簡易な回路構成により、ボツ音の発生を低減することができる。
【図面の簡単な説明】
【００１４】
【図１】本発明にかかるファントム電源回路の実施の形態を示す回路図である。
【図２】本発明にかかるファントム電源回路の別の実施の形態を示す回路図である。
【図３】本発明にかかるファントム電源回路のさらに別の実施の形態を示す回路図である。
【発明を実施するための形態】
【００１５】
以下、図面を参照しながら、本発明にかかるファントム電源回路の実施の形態について説明する。
【００１６】
●ファントム電源回路（１）●
先ず、本発明にかかるファントム電源回路の実施の形態について説明する。
【００１７】
●ファントム電源回路（１）の構成
図１は、本発明にかかるファントム電源回路の実施の形態を示す回路図である。
ファントム電源回路１０は、図示されないコンデンサマイクロホン（以下「マイクロホン」という。）に電源を供給する。ファントム電源回路１０は、マイクロホンが接続される入力側端子１と、マイクロホンからの出力信号（以下「音声信号」という。）が入力される出力機器が接続される出力側端子２と、入力側端子１と出力側端子２との間を接続する信号線３と、電源部４と、減衰回路５と、を有してなる。
【００１８】
入力側端子１には、マイクロホンが接続される。入力側端子１は、第１入力側端子１ａと第２入力側端子１ｂと第３入力側端子１ｃとを備える。第１入力側端子１ａは、マイクロホンのグランド（接地）端子に接続される。第２入力側端子１ｂは、マイクロホンの出力端子であるホット側端子に接続される。第３入力側端子１ｃは、マイクロホンの出力端子であるコールド側端子に接続される。
【００１９】
出力側端子２には、外部機器が接続される。出力側端子２は、第１出力側端子２ａと第２出力側端子２ｂと第３出力側端子２ｃとを備える。第１出力側端子２ａは、第１入力側端子１ａと接続してマイクロホンの接地端子に接続される。第２出力側端子２ｂは、第２入力側端子１ｂと接続して第２入力側端子１ｂからの音声信号を外部機器に導出する。第３出力側端子２ｃは、第３入力側端子１ｃと接続して第３入力側端子１ｃからの音声信号を外部機器に導出する。
【００２０】
信号線３は、入力側端子１と接続側端子３とを接続する。信号線３は、第１信号線３ａと第２信号線３ｂと第３信号線３ｃとを備える。第１信号線３ａは、第１入力側端子１ａと第１出力側端子２ａとを接続する基準電位線である。第２信号線３ｂは、第２入力側端子１ｂと第２出力側端子２ｂとを接続するホット側信号線である。第３信号線３ｃは、第３入力側端子１ｃと第３出力側端子２ｃとを接続するコールド側信号線である。第２信号線３ｂと第３信号線３ｃとは、音声信号が流れる出力信号線である。
【００２１】
電源部４は、第２信号線３ｂと第３信号線３ｃとを介してマイクロホンに電源を供給する。電源部４は、ファントム電源ＰＷと、ファントム電源ＰＷのスイッチＳＷと、を備える。
【００２２】
ファントム電源ＰＷは、マイクロホンに電源を供給する直流電源である。スイッチＳＷは、ファントム電源ＰＷのオン状態とオフ状態とを切り換える。ファントム電源ＰＷは、第１信号線３ａとスイッチＳＷとの間に直列に接続される。スイッチＳＷは、第２信号線３ｂと第３信号線３ｃのそれぞれと直列に接続される。
【００２３】
スイッチＳＷと出力信号線との間には、供給抵抗が接続される。供給抵抗は、第１抵抗Ｒ１と第２抵抗Ｒ２とを備える。第１抵抗Ｒ１は、スイッチＳＷと第２信号線３ｂとの間に直列に接続される。第２抵抗Ｒ２は、スイッチＳＷと第３信号線３ｃとの間に直列に接続される。第１抵抗Ｒ１と第２抵抗Ｒ２とは、同じ抵抗値を有する。ファントム電源ＰＷからの供給電流は、第１抵抗Ｒ１と第２抵抗Ｒ２とを介して、第２信号線３ｂと第３信号線３ｃとに等しく分割される。
【００２４】
減衰回路５は、出力信号線に流れる音声信号を減衰させる。減衰回路５は、定電流ダイオードＣＲ１０と発光素子Ｄ１０とフォトレジスタＰＲ１０とを備える。減衰回路５は、第１信号線３ａと第２信号線３ｂと第３信号線３ｃとに接続される。
【００２５】
定電流ダイオードＣＲ１０は、ファントム電源ＰＷから入力される電流を一定の電流値の定電流にする。定電流は、発光素子Ｄ１０へ入力される。定電流ダイオードＣＲ１０は、第１定電流ダイオードＣＲ１１と第２定電流ダイオードＣＲ１２とを備える。
【００２６】
第１定電流ダイオードＣＲ１１は、第１信号線３ａと第２信号線３ｂとの間に接続される。具体的には、第１定電流ダイオードＣＲ１１の入力端子は、第２信号線３ｂのうち、第２入力側端子１ｂと、第１抵抗Ｒ１と第２信号線３ｂとの接続点（以下「第１接続点」という。）Ｐ１と、の間に接続される。
【００２７】
第２定電流ダイオードＣＲ１２は、第１信号線３ａと第３信号線３ｃとの間に接続される。具体的には、第２定電流ダイオードＣＲ１２の入力端子は、第３信号線３ｃのうち、第３入力側端子１ｃと、第２抵抗Ｒ２と第３信号線３ｃとの接続点（以下「第２接続点」という。）Ｐ２と、の間に接続される。
【００２８】
第１定電流ダイオードＣＲ１１の出力端子である第１信号線３ａ側の端子と、第２定電流ダイオードＣＲ１２の出力端子である第１信号線３ａ側の端子とは、互いに接続されて、第１信号線３ａに接続される。
【００２９】
なお、定電流ダイオードＣＲ１０は、通常、交流インピーダンスが十分に高い。そのため、定電流ダイオードＣＲ１０は、マイクロホンの出力信号線に接続されてもマイクロホンの負荷とはならない。
【００３０】
発光素子Ｄ１０とフォトレジスタＰＲ１０とは、相対して配置される。発光素子Ｄ１０とフォトレジスタＰＲ１０とは、フォトカプラＰＣ１０を構成する。すなわち、発光素子Ｄ１０は、フォトレジスタＰＲ１０に向けて光を照射する。
【００３１】
発光素子Ｄ１０は、スイッチＳＷの作動時、すなわち、スイッチＳＷがオン状態のときに定電流ダイオードＣＲ１０からの定電流により駆動（発光）する。発光素子Ｄ１０は、例えば、発光ダイオードである。発光素子Ｄ１０は、第１発光素子Ｄ１１と第２発光素子Ｄ１２とを備える。
【００３２】
第１発光素子Ｄ１１は、第１定電流ダイオードＣＲ１１の第１信号線３ａ側の端子と、第１信号線３ａと、の間に直列に接続される。また、第２発光素子Ｄ１２は、第２定電流ダイオードＣＲ１２の第１信号線３ａ側の端子と、第１信号線３ａと、の間に直列に接続される。
【００３３】
発光素子Ｄ１０の発光状態は、発光していない状態（以下「第１発光状態」という。）と、発光している状態（以下「第２発光状態」という。）と、を備える。第２発光状態の明るさは、定電流ダイオードＣＲ１０からの定電流に応じて一定である。
【００３４】
フォトレジスタＰＲ１０は、発光素子Ｄ１０の発光状態に応じて抵抗値が変化する。フォトレジスタＰＲ１０は、例えば、ＣｄＳ（硫化カドミウム）の受光素子である。フォトレジスタＰＲ１０は、第１フォトレジスタＰＲ１１と第２フォトレジスタＰＲ１２とを備える。
【００３５】
フォトレジスタＰＲ１０の抵抗値は、発光素子Ｄ１０が第１発光状態であるときの抵抗値（以下「第１抵抗値」という。）と、発光素子Ｄ１０が第２発光状態であるときの抵抗値（以下「第２抵抗値」という。）と、の間で連続的に変化する。第１抵抗値は、第２抵抗値よりも高い。また、フォトレジスタＰＲ１０の抵抗値は、発光素子Ｄ１０の発光状態が第１発光状態から第２発光状態に切り替わった後に、第２抵抗値に変化する。すなわち、フォトレジスタＰＲ１０の抵抗値が第１抵抗値から第２抵抗値へ変化するまでの時間には、所定のタイムラグがある。
【００３６】
第１フォトレジスタＰＲ１１は、第１発光素子Ｄ１１の発光状態に応じて抵抗値が変化する。第１フォトレジスタＰＲ１１は、第２信号線３ｂのうち、第２入力側端子１ｂと、第１定電流ダイオードＣＲ１１と第２信号線３ｂとの接続点（以下「第３接続点」という。）Ｐ３と、の間に直列に接続される。すなわち、第２入力側端子１ｂは、第１フォトレジスタＰＲ１１を介してスイッチＳＷと接続する。
【００３７】
第２フォトレジスタＰＲ１２は、第２発光素子Ｄ１２の発光状態に応じて抵抗値が変化する。第２フォトレジスタＰＲ１２は、第３信号線３ｃのうち、第３入力側端子１ｃと、第２定電流ダイオードＣＲ１２と第３信号線３ｃとの接続点（以下「第４接続点」という。）Ｐ４と、の間に直列に配設される。すなわち、第３入力側端子１ｃは、第２フォトレジスタＰＲ１２を介してスイッチＳＷと接続する。
【００３８】
このように、フォトレジスタＰＲ１０が信号線３に直列に接続されることで、出力信号線に流れる音声信号は、フォトレジスタＰＲ１０を通過する。ここで、フォトレジスタＰＲ１０の抵抗値が第１抵抗値のとき、出力信号線に流れる音声信号は、フォトレジスタＰＲ１０により遮断される。また、フォトレジスタＰＲ１０の抵抗値が第１抵抗値と第２抵抗値との間の抵抗値のとき、出力信号線に流れる音声信号は、フォトレジスタＰＲ１０によりその抵抗値に応じて減衰される。さらに、フォトレジスタＰＲ１０の抵抗値が第２抵抗値のとき、出力信号線に流れる音声信号は、減衰することなくフォトレジスタＰＲ１０を通過する。
【００３９】
第１フォトレジスタＰＲ１１と第１発光素子Ｄ１１とは、第１フォトカプラＣＰ１１を構成する。第２フォトレジスタＰＲ１２と第２発光素子Ｄ１２とは、第２フォトカプラＣＰ１２を構成する。
【００４０】
第２信号線３ｂのうち、第１接続点Ｐ１と第２出力側端子２ｂとの間には、第１コンデンサＣ１が接続される。第３信号線３ｃのうち、第２接続点Ｐ２と第３出力側端子２ｃとの間には、第２コンデンサＣ２が接続される。第１コンデンサＣ１と第２コンデンサＣ２とは、ファントム電源ＰＷの直流電流が出力機器側に入力されることを遮断する遮断コンデンサである。第１コンデンサＣ１の第２出力側端子２ｂ側の端子は、第１コンデンサＣ１の両端の電位を決定する第３抵抗Ｒ３を介して第１信号線３ａに接続される。第２コンデンサＣ２の第３出力側端子２ｃ側の端子は、第２コンデンサＣ２の両端の電位を決定する第４抵抗Ｒ４を介して第１信号線３ａに接続される。
【００４１】
●ファントム電源回路（１）の動作
次に、ファントム電源回路１０の動作について説明する。
【００４２】
まず、スイッチＳＷがオフ状態のときのファントム電源回路１０の動作について説明する。スイッチＳＷがオフ状態のとき、ファントム電源ＰＷからの電流は、定電流ダイオードＣＲ１０には入力されない。したがって、発光素子Ｄ１０は、第１発光状態である。つまり、発光素子Ｄ１０は、発光していない状態である。この場合、フォトレジスタＰＲ１０の抵抗値は、第１抵抗値となる。
【００４３】
次に、スイッチＳＷがオフ状態からオン状態へと切り替わったときのファントム電源回路１０の動作について説明する。
【００４４】
スイッチＳＷがオフ状態からオン状態へと切り替わると、ファントム電源ＰＷからの電流は、供給抵抗を介して出力信号線に流れる。このとき、スイッチＳＷは、極短時間の間、いわゆるチャタリングを引き起こす。この間、ファントム電源ＰＷには、パルス状電流が発生する。このパルス状電流は、供給抵抗を介して出力信号線に流れる。
【００４５】
出力信号線を流れるファントム電源ＰＷからの電流は、定電流ダイオードＣＲ１０へと入力される。定電流ダイオードＣＲ１０に入力された電流は、定電流ダイオードＣＲ１０によって定電流となる。この定電流は、定電流ダイオードＣＲ１０の第１信号線３ａ側の端子（出力端子）から発光素子Ｄ１０に入力される。発光素子Ｄ１０は、定電流の入力により発光して第１発光状態から第２発光状態に切り替わる。発光素子Ｄ１０の光は、フォトレジスタＰＲ１０に照射される。
【００４６】
ここで、前述したように、スイッチＳＷがオフ状態のとき、フォトレジスタＰＲ１０の抵抗値は、出力信号線に流れる音声信号を遮断する第１抵抗値である。また、スイッチＳＷがオン状態に切り替わったとき、フォトレジスタＰＲ１０の抵抗値は、発光素子Ｄ１０が第２発光状態になるまでの間は第１抵抗値である。フォトレジスタＰＲ１０の抵抗値は、発光素子Ｄ１０が第１発光状態から第２発光状態に切り替わると、前述したタイムラグを経て第２抵抗値に変化する。
【００４７】
フォトレジスタＰＲ１０の抵抗値が第１抵抗値から第２抵抗値に変化するまでの間、出力信号線に流れる音声信号は、フォトレジスタＰＲ１０により遮断、もしくは、減衰される。すなわち、第２信号線３ｂに流れる音声信号は、第１フォトレジスタＰＲ１１により遮断、もしくは、減衰される。また、第３信号線３ｃに流れる音声信号は、第２フォトレジスタＰＲ１２により遮断、もしくは、減衰される。そのため、パルス状電流が音声信号と共に出力機器に入力されても、ボツ音の発生は低減される。
【００４８】
出力信号線を流れるパルス状電流は、フォトレジスタＰＲ１０に流れる。ここで、出力信号線を流れるパルス状電流は、フォトレジスタＰＲ１０の抵抗値が第１抵抗値から第２抵抗値に変化するまでの間、フォトレジスタＰＲ１０により遮断、もしくは、減衰される。すなわち、第２信号線３ｂを第２入力側端子１ｂに向かって流れるパルス状電流は、第１フォトレジスタＰＲ１１により遮断、もしくは、減衰される。また、第３信号線３ｃを第３入力側端子１ｃに向かって流れるパルス状電流は、第２フォトレジスタＰＲ１２により遮断、もしくは、減衰される。
【００４９】
なお、スイッチＳＷがオン状態で、かつパルス状電流の発生がない平常状態においては、音声信号は、減衰や遮断されることなくフォトレジスタＰＲ１０を通過して、外部機器へと入力される。
【００５０】
●まとめ
以上説明した実施の形態によれば、スイッチＳＷをオン状態にしたとき、出力信号線を流れる音声信号は、フォトレジスタＰＲ１０の抵抗値が十分に減少するまでの間、フォトレジスタＰＲ１０により遮断、もしくは、減衰される。この音声信号の遮断や減衰は、定電流ダイオードＣＲ１０と発光素子Ｄ１０とフォトレジスタＰＲ１０という簡易な構成の減衰回路５により実現される。すなわち、ファントム電源回路１０は、簡易な回路構成により、マイクロホンへの給電を開始したときのボツ音の発生を低減することができる。
【００５１】
また、第２信号線３ｂを第２入力側端子１ｂへ向かって流れるパルス状電流は、第１フォトレジスタＰＲ１１により遮断、もしくは、減衰される。第３入力側端子１ｃに向かって流れるパルス状電流は、第２フォトレジスタＰＲ１２により遮断、もしくは、減衰される。すなわち、ファントム電源回路１０は、パルス状電流によるマイクロホンへの影響を低減することができる。
【００５２】
さらに、フォトレジスタＰＲ１０の抵抗値が第１抵抗値から第２抵抗値へ変化するまでの時間には、タイムラグがある。そのため、スイッチＳＷがオフ状態からオン状態へ切り替わりマイクロホンへの給電が開始されたとき、出力信号線を流れる音声信号は、そのタイムラグの間、フォトレジスタＰＲ１０により遮断、もしくは減衰される。すなわち、ファントム電源回路１０は、簡易な回路構成により、マイクロホンへの給電を開始したときのボツ音の発生を低減することができる。
【００５３】
●ファントム電源回路（２）●
次に、本発明にかかるファントム電源回路の別の実施の形態について、先に説明した実施の形態（以下「第１実施形態」という。）と異なる部分を中心に説明する。本実施の形態にかかるファントム電源回路は、減衰回路の接続位置が、第１実施形態と異なる。
【００５４】
●ファントム電源回路（２）の構成
図２は、本発明にかかるファントム電源回路の別の実施の形態の回路図である。
ファントム電源回路２０は、減衰回路５Ａを有してなる。
【００５５】
減衰回路５Ａは、出力信号線に流れる音声信号を減衰させる。減衰回路５Ａは、定電流ダイオードＣＲ２０と発光素子Ｄ２０とフォトレジスタＰＲ２０とを備える。減衰回路５Ａは、第１信号線３ａと第２信号線３ｂと第３信号線３ｃとに接続される。
【００５６】
定電流ダイオードＣＲ２０は、ファントム電源ＰＷから入力される電流を定電流にする。定電流ダイオードＣＲ２０は、第１定電流ダイオードＣＲ２１と第２定電流ダイオードＣＲ２２とを備える。
【００５７】
第１定電流ダイオードＣＲ２１は、第１信号線３ａと第２信号線３ｂとの間に接続される。具体的には、第１定電流ダイオードＣＲ２１の入力端子は、第２信号線３ｂのうち、第１接続点Ｐ１と第２出力側端子２ｂとの間に接続される。第２定電流ダイオードＣＲ２２は、第１信号線３ａと第３信号線３ｃとの間に接続される。具体的には、第２定電流ダイオードＣＲ２２の入力端子は、第３信号線３ｃのうち、第２抵抗Ｒ２と第３信号線３ｃとの接続点と、第３出力側端子２ｃと、の間に接続される。第１定電流ダイオードＣＲ２１の出力端子と、第２定電流ダイオードＣＲ２２の出力端子とは、互いに接続されて第１信号線３ａに接続される。
【００５８】
発光素子Ｄ２０は、スイッチＳＷの作動時に流れる定電流により駆動（発光）する。発光素子Ｄ２０は、第１発光素子Ｄ２１と第２発光素子Ｄ２２とを備える。第１発光素子Ｄ２１と第２発光素子Ｄ２２とは、定電流ダイオードＣＲ２０の第１信号線３ａ側の端子と、第１信号線３ａと、の間に直列に接続される。
【００５９】
発光素子Ｄ２０の発光状態は、第１実施形態の発光素子１０の発光状態と同じである。
【００６０】
フォトレジスタＰＲ２０は、発光素子Ｄ２０の発光状態に応じて抵抗値が変化する。フォトレジスタＰＲ２０は、第１フォトレジスタＰＲ２１と第２フォトレジスタＰＲ２２とを備える。フォトレジスタＰＲ２０の抵抗値は、第１実施形態のフォトレジスタＰＲ１０の抵抗値と同様に変化する。すなわち、フォトレジスタＰＲ２０の抵抗値が第１抵抗値から第２抵抗値へ変化するまでの時間には、所定のタイムラグがある。
【００６１】
第１フォトレジスタＰＲ２１は、第２信号線３ｂのうち、第３接続点Ｐ３と第２出力側端子２ｂとの間に直列に接続される。すなわち、第２出力側端子２ｂは、第１フォトレジスタＰＲ２１を介してスイッチＳＷと接続する。
【００６２】
第２フォトレジスタＰＲ２２は、第３信号線３ｃのうち、第４接続点Ｐ４と第３出力側端子２ｃとの間に直列に接続される。すなわち、第３出力側端子２ｃは、第２フォトレジスタＰＲ２２を介してスイッチＳＷと接続する。
【００６３】
第１フォトレジスタＰＲ２１と第１発光素子Ｄ２１とは、第１フォトカプラＣＰ２１を構成する。第２フォトレジスタＰＲ２２と第２発光素子Ｄ２２とは、第２フォトカプラＣＰ２２を構成する。
【００６４】
●ファントム電源回路（２）の動作
次に、ファントム電源回路２０の動作について説明する。
【００６５】
まず、スイッチＳＷがオフ状態のときのファントム電源回路２０の動作は、第１実施形態のファントム電源回路１０の動作と同じである。
【００６６】
次に、スイッチＳＷがオフ状態からオン状態へと切り替わったときのファントム電源回路２０の動作について、第１実施形態のファントム電源回路１０の動作と異なる点を中心に説明する。
【００６７】
出力信号線に流れる音声信号は、フォトレジスタＰＲ２０の抵抗値が第１抵抗値から第２抵抗値に変化するまでの間、フォトレジスタＰＲ２０により遮断、もしくは、減衰される。すなわち、第２信号線３ｂに流れる音声信号は、第１フォトレジスタＰＲ２１により遮断、もしくは、減衰される。また、第３信号線３ｃに流れる音声信号は、第２フォトレジスタＰＲ２２により遮断、もしくは、減衰される。そのため、パルス状電流が音声信号と共に出力機器に入力されても、ボツ音の発生は低減される。
【００６８】
出力信号線を流れるパルス状電流は、フォトレジスタＰＲ２０の抵抗値が第１抵抗値から第２抵抗値に変化するまでの間、フォトレジスタＰＲ２０により遮断、もしくは、減衰される。すなわち、第２信号線３ｂを第２出力側端子２ｂに向かって流れるパルス状電流は、第１フォトレジスタＰＲ２１により遮断、もしくは、減衰される。また、第３信号線３ｃを第３出力側端子２ｃに向かって流れるパルス状電流は、第２フォトレジスタＰＲ２２により遮断、もしくは、減衰される。
【００６９】
●まとめ
以上説明した実施の形態によれば、出力信号線を流れる音声信号は、フォトレジスタＰＲ２０の抵抗値が十分に減少するまでの間、フォトレジスタＰＲ２０により遮断、もしくは、減衰される。すなわち、ファントム電源回路２０は、簡易な回路構成により、マイクロホンへの給電を開始したときのボツ音の発生を低減することができる。
【００７０】
また、第２信号線３ｂを第２出力側端子２ｂへ向かって流れるパルス状電流は、第１フォトレジスタＰＲ２１により遮断、もしくは、減衰される。また、第３信号線３ｃを第３出力側端子２ｃに向かって流れるパルス状電流は、第２フォトレジスタＰＲ２２により遮断、もしくは、減衰される。すなわち、ファントム電源回路２０は、パルス状電流による出力機器への影響を低減することができる。
【００７１】
●ファントム電源回路（３）●
次に、本発明にかかるファントム電源回路のさらに別の実施の形態について、第１実施形態と、先に説明した別の実施の形態（以下「第２実施形態」という。）と、異なる部分を中心に説明する。本実施の形態にかかるファントム電源回路は、減衰回路が、第１実施形態と第２実施形態のそれぞれと異なる。
【００７２】
●ファントム電源回路（３）の構成
図３は、本発明にかかるファントム電源回路のさらに別の実施の形態の回路図である。
ファントム電源回路は、減衰回路５Ｂを有してなる。
【００７３】
減衰回路５Ｂは、出力信号線に流れる音声信号を減衰させる。減衰回路５Ｂは、定電流ダイオードＣＲ３０と発光素子Ｄ３０とフォトレジスタＰＲ３０とを備える。減衰回路５Ｂは、第１信号線３ａと第２信号線３ｂと第３信号線３ｃとに接続される。
【００７４】
定電流ダイオードＣＲ３０は、ファントム電源ＰＷから入力される電流を定電流にする。定電流ダイオードＣＲ３０は、第１定電流ダイオードＣＲ３１と第２定電流ダイオードＣＲ３２とを備える。
【００７５】
第１定電流ダイオードＣＲ３１は、第２実施形態と同様に、第１信号線３ａと第２信号線３ｂとの間に接続される。第２定電流ダイオードＣＲ３２は、第２実施形態と同様に、第１信号線３ａと第３信号線３ｃとの間に接続される。
【００７６】
発光素子Ｄ３０は、スイッチＳＷの作動時に流れる定電流により駆動（発光）する。発光素子Ｄ３０は、第１発光素子Ｄ３１と第２発光素子Ｄ３２と第３発光素子Ｄ３３と第４発光素子Ｄ３４とを備える。第１発光素子Ｄ３１と第２発光素子Ｄ３２と第３発光素子Ｄ３３と第４発光素子Ｄ３４とは、定電流ダイオードＣＲ３０の第１信号線３ａ側の端子と、第１信号線３ａと、の間に直列に接続される。
【００７７】
発光素子Ｄ３０の発光状態は、第１実施形態の発光素子Ｄ１０の発光状態と同じである。
【００７８】
フォトレジスタＰＲ３０は、発光素子Ｄ３０の発光状態に応じて抵抗値が変化する。フォトレジスタＰＲ３０は、第１フォトレジスタＰＲ３１と第２フォトレジスタＰＲ３２と第３フォトレジスタＰＲ３３と第４フォトレジスタＰＲ３４とを備える。フォトレジスタＰＲ３０の抵抗値は、第１実施形態のフォトレジスタＰＲ１０の抵抗値と同様に変化する。すなわち、フォトレジスタＰＲ３０の抵抗値が第１抵抗値から第２抵抗値へ変化するまでの時間には、所定のタイムラグがある。
【００７９】
第１フォトレジスタＰＲ３１は、第２信号線３ｂのうち、第３接続点Ｐ３と第２出力側端子２ｂとの間に直列に接続される。すなわち、第２出力側端子２ｂは、第１フォトレジスタＰＲ３１を介してスイッチＳＷと接続する。
【００８０】
第２フォトレジスタＰＲ３２は、第３信号線３ｃのうち、第４接続点Ｐ４と第３出力側端子２ｃとの間に直列に接続される。すなわち、第３出力側端子２ｃは、第２フォトレジスタＰＲ３２を介してスイッチＳＷと接続する。
【００８１】
第３フォトレジスタＰＲ３３は、第２信号線３ｂのうち、第１接続点Ｐ１と第２入力側端子１ｂとの間に直列に接続される。すなわち、第２入力側端子１ｂは、第３フォトレジスタＰＲ３３を介してスイッチＳＷと接続する。
【００８２】
第４フォトレジスタＰＲ３４は、第３信号線３ｃのうち、第２接続点Ｐ２と第３入力側端子１ｃとの間に直列に接続される。すなわち、第３入力側端子１ｃは、第４フォトレジスタＰＲ３４を介してスイッチＳＷと接続する。
【００８３】
第１フォトレジスタＰＲ３１と第１発光素子Ｄ３１とは、第１フォトカプラＣＰ３１を構成する。第２フォトレジスタＰＲ３２と第２発光素子Ｄ３２とは、第２フォトカプラＣＰ３２を構成する。第３フォトレジスタＰＲ３３と第３発光素子Ｄ３３とは、第３フォトカプラＣＰ３３を構成する。第４フォトレジスタＰＲ３４と第４発光素子Ｄ３４とは、第４フォトカプラＣＰ３４を構成する。
【００８４】
前述したように、第２信号線３ｂには、第１フォトレジスタＰＲ３１と第３フォトレジスタＰＲ３３とが直列に接続される。そのため、第２信号線３ｂの直列抵抗は、先に説明した実施の形態の第２信号線３ｂの直列抵抗の約２倍の抵抗値となる。また、第３信号線３ｃには、第２フォトレジスタＰＲ３２と第４フォトレジスタＰＲ３４とが直列に接続される。そのため、第３信号線３ｃの直列抵抗は、先に説明した実施の形態の第３信号線３ｃの直列抵抗の約２倍の抵抗値となる。
【００８５】
●ファントム電源回路（３）の動作
次に、ファントム電源回路３０の動作について説明する。
【００８６】
まず、スイッチＳＷがオフ状態のときのファントム電源回路３０の動作は、第１実施形態のファントム電源回路１０の動作と同じである。
【００８７】
次に、スイッチＳＷがオフ状態からオン状態へと切り替わったときのファントム電源回路３０の動作について、第１実施形態のファントム電源回路１０の動作と、第２実施形態のファントム電源回路２０の動作と、異なる点を中心に説明する。
【００８８】
出力信号線に流れる音声信号は、フォトレジスタＰＲ３０の抵抗値が第２抵抗値に変化するまでの間、フォトレジスタＰＲ３０により遮断、もしくは、減衰される。すなわち、第２信号線３ｂに流れる音声信号は、第１フォトレジスタＰＲ３１と第３フォトレジスタＰＲ３３とにより遮断、もしくは、減衰される。また、第３信号線３ｃに流れる音声信号は、第２フォトレジスタＰＲ３２と第４フォトレジスタＰＲ３４とにより遮断、もしくは、減衰される。そのため、パルス状電流が音声信号と共に出力機器に入力されても、ボツ音の発生は、低減される。
【００８９】
出力信号線を流れるパルス状電流は、フォトレジスタＰＲ３０の抵抗値が第１抵抗値から第２抵抗値に変化するまでの間、フォトレジスタＰＲ３０により遮断、もしくは、減衰される。すなわち、第２信号線３ｂを第２出力側端子２ｂに向かって流れるパルス状電流は、第１フォトレジスタＰＲ３１により遮断、もしくは、減衰される。また、第３信号線３ｃを第３出力側端子２ｃに向かって流れるパルス状電流は、第２フォトレジスタＰＲ３２により遮断、もしくは、減衰される。さらに、第２信号線３ｂを第２入力側端子１ｂに向かって流れるパルス状電流は、第３フォトレジスタＰＲ３３により遮断、もしくは、減衰される。また、第３信号線３ｃを第３入力側端子１ｃに向かって流れるパルス状電流は、第４フォトレジスタＰＲ３４により遮断、もしくは、減衰される。
【００９０】
●まとめ
以上説明した実施の形態によれば、出力信号線を流れる音声信号は、フォトレジスタＰＲ３０の抵抗値が十分に減少するまでの間、フォトレジスタＰＲ３０により遮断、もしくは、減衰される。ここで、本実施の形態においては、第２信号線３ｂと第３信号線３ｃとには、それぞれ２個のフォトレジスタが直列に接続される。そのため、本実施の形態における音声信号の減衰の程度は、第１実施形態や第２実施形態の減衰の程度と比べて大きくなる。すなわち、ファントム電源回路３０は、ファントム電源回路１０やファントム電源回路２０と比べて、ボツ音の発生をより低減することができる。
【００９１】
また、第２信号線３ｂを第２出力側端子２ｂへ向かって流れるパルス状電流は、第１フォトレジスタＰＲ３１により遮断、もしくは、減衰される。また、第３信号線３ｃを第３出力側端子２ｃに向かって流れるパルス状電流は、第２フォトレジスタＰＲ３２により遮断、もしくは、減衰される。さらに、第２信号線３ｂを第２入力側端子１ｂへ向かって流れるパルス状電流は、第３フォトレジスタＰＲ３３により遮断、もしくは、減衰される。さらにまた、第３信号線３ｃを第３入力側端子１ｃに向かって流れるパルス状電流は、第４フォトレジスタＰＲ３４により遮断、もしくは、減衰される。すなわち、ファントム電源３０は、出力信号線を入力側端子１に向かって流れるパルス状電流と、出力信号線を出力側端子２に向かって流れるパルス状電流とを、共に遮断、もしくは、減衰させることができる。つまり、ファントム電源回路３０は、パルス状電流によるマイクロホンと出力機器とへの影響を低減することができる。
【符号の説明】
【００９２】
１        入力側端子
１ａ      第１入力側端子
１ｂ      第２入力側端子
１ｃ      第３入力側端子
２        出力側端子
２ａ      第１出力側端子
２ｂ      第２出力側端子
２ｃ      第３出力側端子
３        信号線
３ａ      第１信号線
３ｂ      第２信号線
３ｃ      第３信号線
４        電源部
５        減衰回路
５Ａ      減衰回路
５Ｂ      減衰回路
１０      ファントム電源回路
２０      ファントム電源回路
３０      ファントム電源回路
ＰＷ      ファントム電源
ＳＷ      スイッチ
ＣＲ      定電流ダイオード
ＰＣ      フォトカプラ
Ｄ        発光素子
ＰＲ      フォトレジスタ
【図１】
2017085336.tif 000003
【図２】
2017085336.tif 000004
【図３】
2017085336.tif 000005